(57)【要約】  【課題】  本体ハウジングの外部に放出される電動送風機の動作音を排気の流れを阻害せずに有効に低減することができ、吸塵性能を損なうことなく静粛な運転が可能となる電気掃除機を提供する。  【解決手段】  本体ハウジング１の内部に支持された電動送風機２からの排気を、本体ハウジング１の周壁に開設された排気孔17，17…を経て外部に放出するようにした電気掃除機において、電動送風機２のファンカバー20の外周に遮音筒３を嵌着し、ファンカバー20に設けた排気の吐出口と駆動用の電動モータ21の外側とを排気孔17，17…から遮断して、吐出口及び電動モータ21から発せられる動作音の排気孔17，17…への到達を阻止し、本体ハウジング１の外部への放出音を低減する。【選択図】      図２
2006158783.tif 000002
【特許請求の範囲】
【請求項１】
本体ハウジングの内部に支持された吸塵用の電動送風機からの排気を、前記本体ハウジングに開設された排気孔を経て外部に放出する構成としてある電気掃除機において、
前記電動送風機のファンカバーの外周に一側を嵌着され、前記排気の吐出口及び前記電動送風機の駆動用モータの外側と前記排気孔との間を遮断する遮音筒を備えることを特徴とする電気掃除機。
【請求項２】
前記遮音筒は、前記本体ハウジングの内部に前記ファンカバーを弾性支持する支持環と一体形成してある請求項１記載の電気掃除機。
【請求項３】
前記遮音筒は、前記排気の流れ方向の下流側に向けてテーパ状に縮径させてある請求項１又は請求項２記載の電気掃除機。
【請求項４】
前記遮音筒の内面に、前記排気の流れを阻害しない厚さを有して被着された吸音材を備える請求項１乃至請求項３のいずれか１つに記載の電気掃除機。
【請求項５】
前記遮音筒の開口端に対向する前記本体ハウジングの内面に、前記排気の流れを阻害しない厚さを有して被着された吸音材を備える請求項１乃至請求項４のいずれか１つに記載の電気掃除機。
【発明の詳細な説明】
【技術分野】
【０００１】
本発明は、吸塵用の電動送風機を本体ハウジングの内部に支持してある電気掃除機に関し、更に詳しくは、前記電動送風機の動作音が前記本体ハウジングに開設された排気口から外部に放出されることを防止するための防音構造を備える電気掃除機に関する。
【背景技術】
【０００２】
多くの家庭に普及している電気掃除機は、電動送風機の吸気側に発生する負圧を利用して塵埃を吸引し、吸気路の中途に設けた集塵室に捕集する構成となっている。前記電動送風機は、羽根車を内蔵するファンカバーの一側に駆動用の電動モータを一体に連結してコンパクトに構成されており、一側に集塵室を設けた本体ハウジングの内部に支持されている。
【０００３】
集塵室は、本体ハウジングの外部に開口する吸気口を備え、該吸気口は、吸気ホース又は吸気管を介して集塵ノズルに連結されている。また前記電動送風機の配設室は、該電動送風機の排気を受容する排気室を兼ねており、本体ハウジングの該当位置に開設された一又は複数の排気孔により外部に連通されている。
【０００４】
以上の如く構成された電気掃除機は、電動送風機を駆動し、床面、壁面等の掃除面に集塵ノズルを押し付けつつ滑らせて使用される。このとき、前記掃除面上の塵埃は、吸気ホース又は吸気管を経て集塵室に吸込まれて捕捉集塵され、この塵埃から分離された空気のみが電動送風機に吸込まれ、排気室を経て本体ハウジングの外部に排気される。
【０００５】
このような電気掃除機の使用中、電動送風機の動作に伴って振動及び音が発生するという問題があり、振動に対しては、例えば、ファンカバーの外周に巻着されたゴム等の弾性材料製の支持環を介して電動送風機を支持し、本体ハウジングへの振動の伝播を防止する防振構造が採用されており、また動作音に対しては、駆動用の電動モータの外周、ファンカバーの吐出口等、音の発生源となる部位に、発泡ウレタン等の通気性を有する吸音材を配し、本体ハウジングに開設された排気孔から外部へ放出されることを防止する防音構造が採用されている（例えば、特許文献１参照）。
【特許文献１】特開平１１−２２５９１８号公報
【発明の開示】
【発明が解決しようとする課題】
【０００６】
ところが、以上の如き従来の防音構造においては、良好な防音効果が得られ、静粛な運転が可能となる反面、前述の如く配された吸音材が排気の流れを阻害し、抵抗を与えるために、電動送風機の駆動負荷が増し、該電動送風機及び本体ハウジングの大型化並びに重量増を招来するという難点がある。
【０００７】
この難点は、前記特許文献１に記載されているように、本体ハウジングに移動用の大径の車輪を備え、この車輪の回転により掃除面上を移動させ得るように構成された電気掃除機、所謂、キャスタタイプの電気掃除機では大きな問題とはならないが、本体ハウジングの一側に、吸気パイプを介して又は直接に集塵ノズルを連設し、同じく他側に、支持杆を介して又は直接に把手を連設してなり、該把手を把持して本体ハウジングを押し引き移動させるように構成された小型の電気掃除機においては、本体ハウジングの重量増により操作性が低下し、使い勝手が悪くなるという問題を招来する。
【０００８】
このような事情により、従来の小型の電気掃除機においては、良好な使い勝手を確保しつつ満足すべき吸塵性能を得ることを重視して、防音構造が省略されることが多く、より大型のキャスタタイプの電気掃除機に比較して運転音が大きいのが現状である。
【０００９】
本発明は斯かる事情に鑑みてなされたものであり、本体ハウジングの外部に放出される電動送風機の動作音を、排気の流れを阻害せずに有効に低減することができる防音構造を備え、静粛な運転が可能となる電気掃除機を提供することを目的とする。
【００１０】
また本発明の他の目的は、以上の防音構造を簡素な構成にて実現することができるようにするところにある。
【課題を解決するための手段】
【００１１】
本発明に係る電気掃除機は、本体ハウジングの内部に支持された吸塵用の電動送風機からの排気を、前記本体ハウジングに開設された排気孔を経て外部に放出する構成としてある電気掃除機において、前記電動送風機のファンカバーの外周に一側を嵌着され、前記排気の吐出口及び前記電動送風機の駆動用モータの外側と前記排気孔との間を遮断する遮音筒を備えることを特徴とする。
【００１２】
本発明においては、電動送風機のファンカバーに一側を嵌着した遮音筒により、電動送風機の吐出口及び駆動用の電動モータと本体ハウジングに開設された排気孔との間を遮断し、吐出口及び電動モータから発せられる動作音の排気孔への直接的な到達を阻止して、排気の流れを阻害することなく本体ハウジングの外部に放出される音を軽減する。
【００１３】
また本発明に係る電気掃除機は、前記遮音筒が、前記本体ハウジングの内部に前記ファンカバーを弾性支持する支持環と一体形成してあることを特徴とする。
【００１４】
この発明においては、遮音筒をファンカバーの支持環と一体形成し、部品点数の削減により構成の簡素化を図る。
【００１５】
また本発明に係る電気掃除機は、前記遮音筒が、前記排気の流れ方向の下流側に向けてテーパ状に縮径させてあることを特徴とする。
【００１６】
この発明においては、遮音筒の内部における排気の流れを、安定した流れ形態が得られる先細流れとし、この間の動作音の低減効果を高める。
【００１７】
また本発明に係る電気掃除機は、前記遮音筒の内面に、前記排気の流れを阻害しない厚さを有して被着された吸音材を備えることを特徴とし、更に本発明に係る電気掃除機は、前記遮音筒の開口端に対向する前記本体ハウジングの内面に、前記排気の流れを阻害しない厚さを有して被着された吸音材を備えることを特徴とする。
【００１８】
この発明においては、遮音筒の内面及び遮音筒の開口端に面する本体ハウジングの内面の一方又は両方に吸音材を被着し、この吸音材に排気の流れを接触させて、この流れを阻害することなく動作音を吸収し、防音効果の向上を図る。
【発明の効果】
【００１９】
本発明に係る電気掃除機においては、ファンカバーに嵌着された遮音筒により、電動送風機の吐出口及び電動モータの外側を覆ったから、前記吐出口及び電動モータから発せられる動作音の本体ハウジングに開設された排気孔への直接的な到達が阻止され、排気の流れを阻害することなく動作音の放出を有効に低減することができ、吸塵性能の低下を招くことなく静粛な運転が可能となる。
【００２０】
また前記遮音筒を、本体ハウジングの内部にファンカバーを弾性支持する支持環と一体形成したから、専用の部品を必要とせずに良好な防音効果が得られ、構成の簡素化を図ることができる。
【００２１】
また前記遮音筒を、排気の流れ方向に縮径する筒体としたから、排気の流れが安定し、この間の動作音の低減効果が高められ、より有効な防音効果が得られるようになる。
【００２２】
更に遮音筒の内面及び遮音筒の開口端に面する本体ハウジングの内面の一方又は両方に吸音材を被着したから、これらの吸音材により動作音を吸収し、外部への放出をより有効に防止することができ、また前記吸音材の被着厚さを排気の流れを阻害しない程度の厚さとしたから、吸塵性能の悪化を招来する虞れがない等、本発明は優れた効果を奏する。
【発明を実施するための最良の形態】
【００２３】
以下本発明をその実施の形態を示す図面に基づいて詳述する。図１は、本発明に係る電気掃除機の外観斜視図であり、本図に示す電気掃除機は、電動送風機２を内蔵する本体ハウジング１の一側に接続された吸気パイプ10と、同じく他側に、前記吸気パイプ10と略同軸をなして接続された支持杆11とを備えている。
【００２４】
吸気パイプ10の他端には、これと略直交する軸回りに所定の角度範囲内での揺動が可能に集塵ノズル12が取付けられ、また支持杆11の他端には、適宜の屈曲角度を有して把手13が連設されており、図示の電気掃除機は、集塵ノズル12に備えられた移動用の車輪（図示せず）を掃除面に転接させ、該掃除面上に吸気パイプ10を支えとして本体ハウジング１を縦位置に支持し、把手13を把持して支持杆11を介して押し引き力を加え、前記車輪の転動を伴って掃除面上に吸塵ノズル12を移動させて、この移動域内の塵埃を吸引捕集すべく使用される縦型掃除機として構成されている。
【００２５】
図２は、本体ハウジング１の要部の内部構成を示す断面図である。本図に示す如く本体ハウジング１の内部は、吸気パイプ10の接続側から支持杆11の接続側に向けて並ぶ複数の室に分割されている。
【００２６】
図２の左側に示された集塵室14は、吸気パイプ10の接続側の本体ハウジング１の略半部を占めており、図１に示す如く、蓋板15により開閉自在に覆われている。集塵室14の他側には、排気室16が並設されており、該排気室16の内部に電動送風機２が支持されている。排気室16の周壁には、内外に貫通する複数の排気孔17，17…が形成されている。
【００２７】
電動送風機２は、羽根車（図示せず）を内蔵するファンカバー20の一側に駆動用の電動モータ21を一体に組み付けてなり、該電動モータ21の回転により前記羽根車を回転駆動する公知の構成を有しており、ファンカバー20の外周に巻着された弾性材料製の支持環22を介して排気室16の内側に嵌め込み支持されている。
【００２８】
前記支持環22の一側には、電動モータ21の取付け側に向けて延びる遮音筒３が一体に連設されている。図３は、遮音筒３の外観斜視図である。本図に示す遮音筒３は、ファンカバー20に外嵌可能な内径Ａを有する支持環22との連設側から、これよりも小さい内径Ｂを有する他側に向けてテーパ状に縮径された円筒形状を有し、図２に示す如く、電動モータ21の外側を、適宜の間隔を隔てて全長に亘ってカバーするように取付けられている。
【００２９】
図４は、遮音筒３の他の実施の形態を示す外観斜視図である。本図に示す遮音筒３は、支持環22と別体に構成されており、ファンカバー20の外周に嵌め込み可能な内径Ａを有する一側から、これよりも小さい内径Ｂを有する他側に向けてテーパ状に縮径された円筒形状を有している。このような遮音筒３は、前記一側をファンカバー20に外嵌し、支持環22と連続するように取付けられる。
【００３０】
ファンカバー20の他側（電動モータ21と逆側）には、先端に向けて縮径する吸込ノズル23が同軸に突設されており、該吸込ノズル23の先端に開口する電動送風機２の吸込口は、排気室16との間の隔壁18中央の貫通孔を介して集塵室14の内部に臨ませてある。電動送風機２の吐出口は、ファンカバー20の電動モータ21の取付け側の面に、該電動モータ21の外側を囲繞するように開口させてある。
【００３１】
以上の如く構成された本発明に係る電気掃除機において、前述の如く、掃除面に集塵ノズル12を当てて電動モータ21が回転駆動された場合、ファンカバー20の内部において羽根車が回転せしめられ、図２中に白抜矢符により示す如く、集塵室14の内部の空気が吸込ノズル23を経て吸気される。
【００３２】
集塵室14は、吸気パイプ10を介して集塵ノズル12に連通しており、前述した吸気により掃除面に押し付けられた集塵ノズル12の内部に負圧が発生し、掃除面上の塵埃は、集塵ノズル12及び吸気パイプ10を経て吸気と共に集塵室14に吸込まれ、該集塵室14の内部に直接に、又は集塵室14の内部に取り付けられた図示しない集塵袋に捕集される。なお、このように捕集された塵埃は、前記蓋板15を開放して外部に取り出される。
【００３３】
このような捕集により、集塵室14内に開口する吸込ノズル23には、塵埃を除去された空気のみが吸込まれ、ファンカバー20の他側に前述の如く開設された吐出口を経て、図２中に矢符にて示す如く、電動モータ21の外周に沿って排気される。図２中の19は、吸込ノズル23への吸気中に残る微細な塵埃を捕捉するフィルタであり、吸込ノズル23の開口部を覆うように隔壁18に必要に応じて取付けられる。また、ファンカバー20への吸気の一部は、電動モータ21の内部冷却のために用いられ、該電動モータ21の外面に開設された排気口24から排気される。
【００３４】
本発明に係る電気掃除機においては、以上の如き排気がなされる電動送風機２の吐出側が、ファンカバー20の外周に前述の如く取り付けられた遮音筒３により囲繞されており、吐出側への排気は、前記遮音筒３の内側に沿って流れ、該遮音筒３の末端において方向を変えて外側に流れる経路を辿り、排気室16の周壁を貫通する排気孔17，17…を経て本体ハウジング１の外部に放出される。このような排気の流れは、電動モータ21の排気口24からの排気についても全く同様に生じる。
【００３５】
ファンカバー20からの排気には、該ファンカバー20の内部での羽根車の回転に伴う動作音が含まれており、また電動モータ21からの排気には、該電動モータ21の内部でのロータの回転に伴う動作音が含まれているが、これらの動作音は、前記遮音筒３により遮断され、該遮音筒３の内側から外側への折り返し経路を辿る間に減衰される結果、排気孔17，17…からの排気と共に本体ハウジング１の外部に放出される動作音は、使用者に不快感を与えない程度のレベルにまで低減される。
【００３６】
また遮音筒３は、ファンカバー20への取付け側から他側に向けて、換言すれば、ファンカバー20からの排気の流れの方向に向けて縮径する円筒形をなすから、排気の流れが、断面積を漸減する流れ、所謂、先細流れとなり、流れ形態の安定化による音の低減効果も生じ、本体ハウジング１の外部に放出される動作音をより有効に低減することができる。
【００３７】
更に遮音筒３は、ファンカバー20からの排気の方向を変え、排気孔17，17…への直接的な到達を防止することにより動作音の放出を防ぐ作用をなすものであり、前記排気の流れに何らの抵抗も付与しない。従って、電動送風機２の駆動負荷を増大させる虞れがなく、駆動用の電動モータ21を大型化せずに所望の吸塵性能を得ることができ、図１に示す如く構成された縦型の掃除機、又は本体ハウジング自体に吸塵ノズル及び把手を設けてなるハンディタイプの掃除機等、本体ハウジングの大型化及び重量増が操作性の悪化を招来する小型掃除機において特に有効な防音構造を提供することができる。
【００３８】
図５は、本発明に係る電気掃除機の他の実施の形態を示す本体ハウジング１の要部の内部構成を示す断面図である。この実施の形態においては、遮音筒３の内面及び遮音筒３の末端に対向する排気室16の端壁面に適宜の厚さを有する吸音材４，４が貼着されている。なお他の構成要素は、図２に示す実施の形態と同様であり、対応する構成要素に図２と同一の参照符号を付し、構成及び動作の詳細な説明を省略する。
【００３９】
この実施の形態においては、ファンカバー21から吐き出された排気は、まず遮音筒３の内側に沿って流れる間に、該遮音筒３の内面に貼着された吸音材４に接触し、また遮音筒３の末端において方向を変えるとき、排気室16の端壁面に貼着された吸音材に接触することとなり、これらの接触により排気の流れ中に含まれる音が吸収されるから、排気孔17，17…を経て外部に放出される動作音をより有効に低減することができる。
【００４０】
吸音材４，４としては、発泡ウレタン等、通気性及び吸音性を併せ持つ樹脂シートを用いることができる。遮音筒３の内面及び排気室16の端壁面への吸音材４，４の貼着は、図示の如く、排気の流れ経路を塞ぐことなくなされているから、排気の流れに付与される抵抗はわずかであり、電動送風機２の駆動負荷の増大を軽微に抑えつつ高い防音効果を得ることができる。
【図面の簡単な説明】
【００４１】
【図１】本発明に係る電気掃除機の外観斜視図である。
【図２】本体ハウジングの要部の内部構成を示す断面図である。
【図３】遮音筒の外観斜視図である。
【図４】遮音筒の他の実施の形態を示す外観斜視図である。
【図５】本発明に係る電気掃除機の他の実施の形態を示す本体ハウジングの要部の内部構成を示す断面図である。
【符号の説明】
【００４２】
１    本体ハウジング
２    電動送風機
３    遮音筒
４    吸音材
17    排気孔
20    ファンカバー
21    電動モータ
22    支持環
【図１】
2006158783.tif 000003
【図２】
2006158783.tif 000004
【図３】
2006158783.tif 000005
【図４】
2006158783.tif 000006
【図５】
2006158783.tif 000007